(57)【特許請求の範囲】
【請求項１】
施解錠機構を収納する錠ケースに挿通穴を設け、該挿通穴を介して前記施解錠機構の配線を前記錠ケースの外部に導出するように構成された電気錠の防滴構造であって、
前記錠ケースには、前記施解錠機構の収納空間とは区画された配線導出部が設けられ、該配線導出部は、前記挿通穴から前記錠ケースの外部に導出された前記配線が折り返し姿勢で収容されるように構成されていることを特徴とする電気錠の防滴構造。
【請求項２】
前記配線導出部は、前記錠ケースの周壁から外側に向かって延出するはね出し部と、前記周壁との間に前記配線の折り返し空間が形成されると共に該折り返し空間に対する前記配線の取入口と取出口が形成されるように前記はね出し部に突設されるフックと、を備えていることを特徴とする請求項１に記載の電気錠の防滴構造。
【請求項３】
前記錠ケースは、ケース本体と、該ケース本体の内部に設けられて前記施解錠機構の電装品を収納する電装品収納ケースと、を備え、前記配線導出部は前記電装品収納ケースの上端隅に傾斜姿勢で形成されていることを特徴とする請求項１又は２に記載の電気錠の防滴構造。
【発明の詳細な説明】
【技術分野】
【０００１】
本発明は、電気錠の錠ケースに適用される防滴構造に関する。
【背景技術】
【０００２】
従来、マンションやホテル等の建物の扉には、キー操作やＩＣカードの挿入等に伴って、扉に設けられた施解錠機構を電気的に駆動させる「電気錠」が用いられている。一般的な電気錠においては、施解錠機構を収納する錠ケースに挿通穴を設け、この挿通穴を介して施解錠機構の配線を錠ケースの外部に導出するように構成されている（特許文献１参照）。
【先行技術文献】
【特許文献】
【０００３】
【特許文献１】特開２００７−３３２７６５号公報
【発明の概要】
【発明が解決しようとする課題】
【０００４】
しかしながら、このような構成を採用すると、結露による水滴や雨水が配線を伝って錠ケース内に浸入し、施解錠機構を構成する電装品（例えば、基板）に付着して、電装品を損傷する虞がある。
【０００５】
そこで、本発明は上記の事情を考慮し、結露による水滴や雨水が配線を伝って錠ケース内に浸入するのを抑制して、錠ケース内に設けられた施解錠機構の損傷を防止することを目的とする。
【課題を解決するための手段】
【０００６】
本発明に係る電気錠の防滴構造は、施解錠機構を収納する錠ケースに挿通穴を設け、該挿通穴を介して前記施解錠機構の配線を前記錠ケースの外部に導出するように構成された電気錠の防滴構造であって、前記錠ケースには、前記施解錠機構の収納空間とは区画された配線導出部が設けられ、該配線導出部は、前記挿通穴から前記錠ケースの外部に導出された前記配線が折り返し姿勢で収容されるように構成されていることを特徴とする。
【０００７】
更にまた、本発明に係る防滴構造は、前記配線導出部は、前記錠ケースの周壁から外側に向かって延出するはね出し部と、前記周壁との間に前記配線の折り返し空間が形成されると共に該折り返し空間に対する前記配線の取入口と取出口が形成されるように前記はね出し部に突設されるフックと、を備えていても良い。
【０００８】
また、本発明に係る防滴構造は、前記錠ケースは、ケース本体と、該ケース本体の内部に設けられて前記施解錠機構の電装品を収納する電装品収納ケースと、を備え、前記配線導出部は前記電装品収納ケースの上端隅に傾斜姿勢で形成されていても良い。
【発明の効果】
【０００９】
本発明によれば、結露による水滴や雨水が配線を伝って錠ケース内に浸入するのを抑制して、錠ケース内に設けられた施解錠機構の損傷を防止することが可能となる。
【図面の簡単な説明】
【００１０】
【図１】本発明の一実施形態に係る電気錠の正面図である。
【図２】本発明の一実施形態に係る電気錠の防滴構造を示す正面図である。
【図３】本発明の一実施形態に係る電気錠の防滴構造を示す背面図である。
【図４】図２のＡ−Ａ断面図である。
【図５】本発明の一実施形態に係る電気錠の防滴構造を示す斜視図である。
【発明を実施するための形態】
【００１１】
以下、図面に基づき、本発明の好適な実施形態について説明する。なお、説明の便のため、上下、左右、前後等の方向を示す語は、図１を基準として用いる。
【００１２】
まず、図１を用いて電気錠１の全体の構成について説明する。図１に示されるように、本実施形態の電気錠１は、ドア２の木口３に沿って設けられる錠ケース４を備えている。錠ケース４は、この錠ケース４の外形を成す縦長形状のケース本体５と、ケース本体５の内部の上端部から上下方向中央部にかけて収納された電装品収納ケース６と、を備えている。
【００１３】
ケース本体５は、正面が開口されて扁平な箱型形状を成しており、蓋体７によって正面の開口が閉止されている。なお、蓋体７は、ケース本体５の正面側の上端から下端まで設けられているが、図１においては蓋体７の上端部のみを表示している。ケース本体５及び蓋体７は、例えばＳＰＣＣ等の鋼材により形成されている。
【００１４】
ケース本体５の左板８にはフロント板１０が上下方向に固定され、左板８とフロント板１０の下部には、それぞれ出入口１１、１２が水平方向に穿設されている。ドア２が取り付けられている扉枠１３には、出入口１１、１２と対応する高さにストライク１４が設けられ、ストライク１４には、出入口１１、１２と対向する位置にストライク穴１５が設けられている。
【００１５】
ケース本体５の下端には、出入口１１、１２と対応する高さに、デッドボルト１６が水平方向スライド可能に収納されている。デッドボルト１６の上面には左右一対の係合突起１７ａ、１７ｂが設けられている。デッドボルト１６の上方には、ダルマ１８が回転可能に設けられ、ダルマ１８には、下方に向かって作動アーム２０が突設されるとともに、上端部に従動ギア２１が設けられている。
【００１６】
電装品収納ケース６は、正面が開口されて扁平な箱型形状を成しており、電装品収納蓋体２２によって正面の開口が閉止されている。なお、電装品収納蓋体２２は、電装品収納ケース６の正面側の左端から右端まで設けられているが、図１においては電装品収納蓋体２２の左端から中央部までのみを表示している。電装品収納ケース６及び電装品収納蓋体２２は、例えば、透明なＰＣ（ポリカーボネート）樹脂等により形成されている。
【００１７】
電装品収納ケース６の右側部には、電装品としての駆動モーター２３が略鉛直姿勢で収納されている。駆動モーター２３には下方に向かってモーター軸２４が設けられ、モーター軸２４には駆動ギア２５が同軸上に設けられている。この駆動ギア２５は、例えば複数のギアによって構成される伝達機構（図示せず）を介して、ダルマ１８に設けられた従動ギア２１と接続されている。電装品収納ケース６には、駆動モーター２３の上方から左方にかけて電装品としての基板２６が収納されている。基板２６は、接続配線２７を介して駆動モーター２３と接続されている。
【００１８】
以上のように、本実施形態では、基板２６と、駆動モーター２３と、伝達機構と、ダルマ１８と、デッドボルト１６と、によって、錠ケース４に収納される施解錠機構２９の主要部が構成されている。なお、施解錠機構２９は、上記した各部材の他に、例えば、デッドボルト１６の突出姿勢を保持するためのストッパー（図示せず）等を備えている。
【００１９】
基板２６の上部にはコネクター２８が固定され、このコネクター２８には４本の配線３０が取り付けられている。そして、この４本の配線３０を介して、基板２６が錠ケース４の外部（例えば、ドア２の壁面や建物の壁面）に設けられた制御部３１と接続されている。制御部３１は、例えば、テンキーや操作キーからの入力情報（例えば、暗証番号）、無線リモコンキーや携帯電話から送信される施解錠指示情報、磁気カード、ＩＣカード等のカード情報等の各種情報を取得してこれらの情報の照合を行い、この照合結果に基づいて、基板２６を介して駆動モーター２６に対して施解錠信号を出力するように構成されている。
【００２０】
上記の如く構成されたものにおいて、制御部３１から基板２６を介して駆動モーター２３に施錠信号が出力されると、駆動モーター２３のモーター軸２４及び駆動ギア２５が一方向に回転する。この駆動ギア２５の回転は、伝達機構（図示せず）を介してダルマ１８の従動ギア２１に伝達され、ダルマ１８が図面上時計回りに回転する。これに伴って、図１に二点鎖線で示されるように、ダルマ１８の作動アーム２０がデッドボルト１６の左側の係合突起１７ａを左方に押圧して、デッドボルト１６が左方向にスライドする。そして、デッドボルト１６の先端部が出入口１１、１２を介してフロント板１０の左方に突出し、ストライク１４のストライク穴１５に進入して、ドア２が施錠される。
【００２１】
一方で、制御部３１から基板２６を介して駆動モーター２３に解錠信号が出力されると、駆動モーター２３のモーター軸２４及び駆動ギア２５が施錠時とは逆方向に回転する。この駆動ギア２５の回転は、伝達機構（図示せず）を介してダルマ１８の従動ギア２１に伝達され、ダルマ１８が図面上反時計回りに回転する。これに伴って、図１に実線で示されるように、ダルマ１８の作動アーム２０がデッドボルト１６の右側の係合突起１７ｂを右方に押圧して、デッドボルト１６が右方に向かってスライドする。これに伴って、デッドボルト１６の先端部がストライク１４のストライク穴１５から離脱し、ケース本体５内に復帰する。これにより、ドア２が解錠される。
【００２２】
次に、本実施形態における電気錠１の防滴構造について、図２〜図５を用いて説明する。なお、図２及び図３においては、ケース本体５及び電装品収納蓋体２２の記載が省略されている。また、図４においては、配線３０の記載が省略されている。
【００２３】
図２、図３に示されるように、電装品収納ケース６には、この電装品収納ケース６の右側壁４０の上端に設けられた傾斜壁（周壁）４１と、傾斜壁４１の前端部から外側（本実施形態では右上側）に向かって延出するはね出し部４２と、はね出し部４２の後面４３に突設されたフック４４と、が設けられている。
【００２４】
傾斜壁４１の右下端部は、傾斜壁４１と垂直に設けられた下側接続壁４５を介して電装品収納ケース６の右側壁４０の上端と接続されている。傾斜壁４１の左上端部は、傾斜壁４１と垂直に設けられた上側接続壁４６を介して電装品収納ケース６の上端壁４７の右端と接続されている。
【００２５】
傾斜壁４１の外側には、凹部状の配線導出部４８が設けられている。配線導出部４８は、傾斜壁４１、下側接続壁４５、上側接続壁４６及びはね出し部４２によって、施解錠機構２９の収納空間（ケース本体５及び電装品収納ケース６の内部空間）とは区画されており、配線導出部４８の後面は開口されている（図４参照）。配線導出部４８は、傾斜壁４１が傾斜していることに伴って、傾斜姿勢で電装品収納ケース６の右上端隅に形成されている。
【００２６】
図２に最も良く示されるように、はね出し部４２の前面４９の下部中央には、正面視で矩形状を成す凹部５０が後方に向かって設けられ、これに伴って、跳ね出し部４２の後面４３の下部中央には、後方に向かって突部７０（図３参照）が形成されている。電装品収納蓋体２２には、凹部５０と対応する位置に突起状のリブ部（図示せず）が設けられている。そして、電装品収納蓋体２２を電装品収納ケース６に装着するのに伴ってリブ部が凹部５０内に挿入されて、リブ部と凹部５０の内面が所定の間隔を介して対向するように構成されている。
【００２７】
凹部５０の下方には、直線状の下縁部５１が形成されている。はね出し部４２の上部には、前方に向かって突出壁５２が設けられている。突出壁５２は、ケース本体５の右上隅部に設けられた上端開口部５３を介して、ケース本体５の外面から露出している（図５参照）。
【００２８】
突出壁５２には、前面が開口された一対の挿通溝５４が突出壁５２の内面から外面まで設けられている。そして、電装品収納ケース６に電装品収納蓋体２２を装着するのに伴って、挿通溝５４の前面が電装品収納蓋体２２の後面によって閉止されて、突出壁５２の内面から外面に至る一対の挿通穴５５が形成されるように構成されている。挿通溝５４には、複数の突起５６が設けられている。突出壁５２の長さ方向両端部には、それぞれ左方と下方に向かって折曲部５７が設けられ、各折曲部５７には、電装品収納蓋体２２を電装品収納ケース６に固定する固定ネジ５９（図５参照）を挿入するための固定ネジ穴５８が穿設されている。
【００２９】
フック４４は、傾斜壁４１、下側接続壁４５及び上側接続壁４６とは、所定の間隔を介して設けられている。これにより、配線導出部４８には、傾斜壁４１とフック４４の間に、折り返し空間６０が形成されるとともに、この折り返し空間６０に対する取入口６１及び取出口６２がフック４４の両側に形成されている。フック４４は、その先端面が電装品収納ケース６の裏面と面一になるように、はね出し部４２からの突出幅が調節されている。
【００３０】
フック４４は、傾斜壁４１と平行に設けられた平板部６３と、この平板部６３の底面の中央から平板部６３と垂直に延設された支持部６４と、を備えており、正面視でＴ字状を成している。図３及び図５に示されるように、平板部６３の上面６５には、両側片６８と、この両側片６８を連結する連結片６９と、から成る平面視コ字状の係合凹部６６が設けられ、ケース本体５に電装品収納ケース６を取り付けた状態において、ケース本体５の右上隅部に設けられた係合突起６７が係合凹部６６に係合するように構成されている。
【００３１】
上述の如く構成された錠ケース４の組み立ての一例について、以下に説明する。
【００３２】
まず、駆動モーター２３及び基板２６を電装品収納ケース６に収納した状態で、基板２６のコネクター２８に接続された４本の配線３０を一対の挿通溝５４に２本ずつ挿入し、電装品収納蓋体２２を電装品収納ケース６に装着する。これにより、各挿通穴５５を介して４本の配線３０が電装品収納ケース６の外部に導出されるとともに、電装品収納ケース６の正面の開口が閉止される。その際、各配線３０は、凹部５０の下方においてはね出し部４２の下縁部５１に当接するとともに、電装品収納蓋体２２のリブ部によって各配線３０が凹部５０に押さえ付けられる。
【００３３】
次に、４本の配線３０を、配線導出部４８に設けられた取入口６１に上方から挿入し、下方からフック４４に巻き掛けて、取出口６２から配線導出部４８の外部に取り出す。これにより、挿通穴５５から電装品収納ケース６の外部に導出された各配線３０が、配線導出部４８に折り返し姿勢で収容される（図３参照）。この状態で、電装品収納ケース６をケース本体５に装着すると、配線導出部４８の後面がケース本体５の前面によって閉止される（図４参照）。同時に、フック４４の先端面がケース本体５の前面に当接する。この状態で、ケース本体５に蓋体７を装着することで、錠ケース４の組み立てが完了する。
【００３４】
本実施形態では上述の如く、施解錠機構２９の収納空間とは区画された配線導出部４８を錠ケース４に設け、この配線導出部４８に、挿通穴５５から錠ケース４の外部に導出される各配線３０を折り返し姿勢で収容している。このような構成を採用することで、結露による水滴や雨水が各配線３０を伝ったとしても、この水滴や雨水が配線導出部４８において各配線３０の表面から除去されるため、水滴や雨水が施解錠機構２９の収納空間に浸入するのを抑制することが可能となる。
【００３５】
また、本実施形態では、電装品収納ケース６の上端隅に配線導出部４８が傾斜姿勢で設けられているため、配線導出部４８に溜まる水滴や雨水を効率良く取出口６２から外部に排出することが可能となる。
【００３６】
また、本実施形態では、傾斜壁４１から延出するはね出し部４２に挿通穴５５を設けると共に、傾斜壁４１の外側に配線導出部４８を設けている。そのため、挿通穴５５と配線導出部４８を近接させることが可能となり、各配線３０を伝って水滴や雨水が挿通穴５５から電装品収納ケース６内に浸入するのを一層効果的に抑制することが可能となる。
【００３７】
また、本実施形態においては、電装品収納ケース６に設けられたフック４４に、各配線３０を巻き掛けることで、各配線３０の折り返しを可能としている。このような構成を採用することにより、各配線３０の折り返し作業の容易化を図ることが可能になるとともに、各配線３０が配線導出部４８から不用意に脱落するのを防止することが可能となる。
【００３８】
また、フック４４には、平板部６３から延設される支持部６４が設けられており、支持部６４が傾斜壁４１との間で各配線３０を挟み込むため、折り返し作業中の各配線３０の脱落を抑制することが可能となり、各配線３０の折り返し作業が一層容易になる。また、支持部６４を設けることで、平板部６３のみからなるフック４４に各配線３０を巻き掛ける場合よりも各配線３０を緩やかに折り返すことが可能となり、極端な折り返しによって各配線３０が損傷するのを抑制することが可能となる。
【００３９】
また、各配線３０を配線導出部４８に収容した後、電装品収納ケース６をケース本体５に装着するのに伴って、フック４４の先端面がケース本体５の表面に当接するように構成されている。そのため、電装品収納ケース６をケース本体５に装着した後に各配線３０が配線導出部４８から不用意に脱落するのを、一層確実に抑制することが可能となる。
【００４０】
なお、本実施形態ではこのように、フック４４の先端面をケース本体５の前面と当接させているが、他の異なる実施形態では、例えば、各配線３０の直径よりも短い対向幅で、フック４４の先端面をケース本体５の前面に近接させても良い。この場合にも、各配線３０が配線導出部４８から不用意に脱落するのを、確実に抑制することが可能となる。
【００４１】
また、本実施形態では、挿通穴５５に突起５６が設けられているため、挿通穴５５に配線３０を密接させることが可能となる。そのため、水滴や雨水が配線３０を伝って挿通穴５５から電装品収納ケース６内に浸入するのを、抑制することが可能となる。
【００４２】
また、本実施形態では、凹部５０の下方において各配線３０がはね出し部４２の下縁部５１に当接しており、万一、挿通穴５５から配線３０を伝って少量の水滴や雨水が電装品収納ケース６内に浸入しても、この水滴や雨水が下縁部５１で各配線３０から除去されて、凹部５０内に誘導される。そのため、電装品収納ケース６内の駆動モーター２３や基板２６が、水滴や雨水によって破損されるのを、一層効果的に抑制することが可能となる。
【００４３】
また、前述の如く電装品収納蓋体２２のリブ部によって各配線３０が凹部５０に押さえ付けられる。そのため、錠ケース４の組み立て作業中や組み立て完了後に各配線３０が錠ケース４の外側から引っ張られても、凹部５０に押さえ付けられている部分で上記した引張りに伴う張力を遮断することができ、各配線３０とコネクター２８の接合部が損傷するのを防止することが可能となる。また、リブ部で各配線３０を押さえ付けることで、各配線３０を固定するためのブッシュ部材等を設ける必要が無くなり、錠ケース４の構成の簡易化を図ることが可能となる。
【００４４】
本実施形態では、フック４４の上側を配線３０の取入口６１とし、フック４４の下側を配線３０の取出口６２としたが、他の異なる実施形態では、これとは逆に、フック４４の下側を配線３０の取入口６１とし、フック４４の上側を配線３０の取出口６２としても良い。即ち、配線３０は、上側から配線導出部４８に引き入れるのでも、下側から配線導出部４８に引き入れるのでも良い。
【００４５】
本実施形態では、挿通穴５５に配線３０を挿通させてから配線導出部４８に配線３０を収容する場合について説明したが、他の異なる実施形態では、配線導出部４８に配線３０を収容してから挿通穴５５に配線３０を挿通させても良い。
【００４６】
本実施形態では、電装品収納ケース６に配線導出部４８を形成する場合について説明したが、他の異なる実施形態においては、電装品収納蓋体２２に配線導出部４８を設けても良い。更に、電装品収納ケース６を用いないような場合には、ケース本体５や蓋体７に配線導出部４８を設けても良い。
【００４７】
本実施形態では、電装品収納ケース６の周壁の一部を成す傾斜壁４１に配線導出部４８を設けたが、他の異なる実施形態では、例えば、錠ケース４を構成する部材の周壁の一部を成す上側壁、側壁等に配線導出部４８を設けても良い。この場合にも、挿通穴５５から錠ケース４内に水滴や雨水が浸入するのを抑制するためには、挿通穴５５と近接して配線導出部４８を設けることが好ましい。
【符号の説明】
【００４８】
１  電気錠
４  錠ケース
５  ケース本体
６  電装品収納ケース
２３  駆動モーター（電装品）
２６  基板（電装品）
２９  施解錠機構
３０  配線
４１  傾斜壁（側壁）
４２  はね出し部
４４  フック
４８  配線導出部
５５  挿通穴
６０  折り返し空間
６１  取入口
６２  取出口
【図１】
0005819079.tif 000002
【図２】
0005819079.tif 000003
【図３】
0005819079.tif 000004
【図４】
0005819079.tif 000005
【図５】
0005819079.tif 000006